(57)【特許請求の範囲】
【請求項１】
柄部と、前記柄部にブラシ毛が植設されて形成されたブラシ部と、を備え、
前記ブラシ部及び前記柄部の各々は、前記ブラシ部の幅方向の寸法が厚み方向の寸法よりも大きい扁平形状であり、
前記ブラシ部の前記幅方向の中心を通り前記ブラシ毛の先基端方向に延在する回転軸に関して、前記柄部が反転非対称形状かつ前記ブラシ部の性状（前記ブラシ部の毛先部分の輪郭形状は除く）が反転非対称であり、
前記柄部の先端面は、前記回転軸に関して反転対称形状であり、
前記ブラシ部の外形は、前記回転軸を中心とする反転対称形状であり、
前記ブラシ部が、前記幅方向の一方側と他方側に、前記ブラシ毛をそれぞれ含む第一および第二の毛領域を有し、
第一および第二の前記毛領域に含まれる少なくとも一部の前記ブラシ毛の性状が互いに異なり、
前記性状が互いに異なる前記ブラシ毛の集合同士の境界が、前記ブラシ部における前記幅方向の中心よりも前記一方側または前記他方側に偏って位置していることを特徴とする塗布具。
【請求項２】
前記柄部の前記先端面は、前記回転軸に対して直交している請求項１に記載の塗布具。
【請求項３】
前記性状は、色彩である請求項１または２に記載の塗布具。
【請求項４】
第一および第二の前記毛領域に含まれる前記ブラシ毛の色彩は明度が互いに異なり、
前記明度がより高い色を呈する前記ブラシ毛が第二の前記毛領域に植設されている請求項３に記載の塗布具。
【請求項５】
前記柄部は、第一の前記毛領域に対応する位置よりも、第二の前記毛領域に対応する位置において、把持長さが長く形成されている請求項１から４のいずれか一項に記載の塗布具。
【請求項６】
前記性状は、色彩であり、
第一および第二の前記毛領域に含まれる前記ブラシ毛の色彩は明度が互いに異なり、
前記明度がより高い色を呈する前記ブラシ毛が第二の前記毛領域に植設されており、
前記柄部は、第一の前記毛領域に対応する位置よりも、第二の前記毛領域に対応する位置において、把持長さが長く形成されている請求項１または２に記載の塗布具。
【請求項７】
前記ブラシ部の前記幅方向に関する第一の前記毛領域の毛幅寸法が、第二の前記毛領域の前記毛幅寸法よりも大きい請求項１から６のいずれか一項に記載の塗布具。
【請求項８】
前記柄部の表面に窪み部を有し、前記窪み部が前記ブラシ部の前記幅方向に非対称形状であることを特徴とする請求項１から７のいずれか一項に記載の塗布具。
【請求項９】
請求項１から８のいずれか一項に記載の塗布具と、
化粧料収容部を有する容器本体と、前記化粧料収容部に所定の配列方向に並べて充填された異種の化粧料と、前記塗布具を収容するブラシ収容部と、を備える化粧品。
【請求項１０】
前記ブラシ収容部が異種の前記化粧料に跨る上方に形成されており、前記塗布具が前記ブラシ部の幅方向を前記配列方向に向けて前記ブラシ収容部に収容されている請求項９に記載の化粧品。
【請求項１１】
第二の前記毛領域の前記幅方向に関する毛幅寸法は、第一の前記毛領域の前記毛幅寸法よりも小さく、
前記化粧料収容部には、第一の前記化粧料と、第一の前記化粧料よりも前記配列方向に関する寸法が小さい第二の前記化粧料と、が充填されており、
第一の前記化粧料の上方に第一の前記毛領域が配置され、第二の前記化粧料の上方に第二の前記毛領域が配置されるように前記塗布具が前記ブラシ収容部に収容されている請求項１０に記載の化粧品。
【請求項１２】
前記容器本体に取り付けられて前記化粧料の表面を開放可能に覆う保護シートを更に備え、
前記保護シートの周囲に、前記ブラシ収容部に収容された前記塗布具の移動を規制する起立片が形成されている請求項９から１１のいずれか一項に記載の化粧品。
【請求項１３】
前記塗布具の前記柄部は、前記ブラシ部の前記幅方向に関する一部領域に、把持長さが他の領域よりも長く形成された張出部を有し、
複数の前記起立片が前記保護シートの周囲に形成されて前記ブラシ収容部が画成されており、かつ前記ブラシ収容部に収容された前記塗布具における前記張出部に対応する位置に前記起立片が非形成であることを特徴とする請求項１２に記載の化粧品。
【発明の詳細な説明】
【技術分野】
【０００１】
本発明は、塗布具、および塗布具を備える化粧品に関する。
【背景技術】
【０００２】
各種の化粧料を被化粧者の肌や髪などに塗布するのに用いることが可能なブラシ状の塗布具が提供されている。この種の塗布具は、手で把持する柄部に多数のブラシ毛が植設されて構成されており、ブラシ毛の先端に少量の化粧料を取り、この化粧料を被化粧者の肌や髪などに塗布するのに用いられる。
【０００３】
特許文献１には、柄部（把柄）に多数のブラシ毛が植設されてブラシ部が形成された塗布具（化粧用刷毛）が記載されている。この塗布具においては、柄部は扁平な略直方体形状をなし、ブラシ部の中心に位置するブラシ毛を中心軸として、ブラシ部および柄部は線対称（反転対称）形に形成されている。
【０００４】
一方、近年は互いに色調が異なる多色の化粧料が一つの容器に充填された化粧品が提案されている。特許文献２には、隔壁で互いに隔てられた複数の個別スペースに、この隔壁を超える厚さで複数の化粧品化合物を注入して固化させることにより、多色の化粧料が容器の内部に互いに隣接して収容された化粧品を製造する方法が記載されている。特許文献３には、複数の吐出ノズルから互いに異なる色の流動性化粧料原料を容器に吐出して充填成型することにより、隔壁のない容器の内部に多色の化粧料が隣接して収容された化粧品を製造する方法が記載されている。
【０００５】
特許文献２や特許文献３に記載の方法によれば、多色の化粧料を一つの容器内に充填することができる。これにより、各色の化粧料を任意の一色ずつまたは多色を混合して被化粧者の肌等に塗布することができる。
【先行技術文献】
【特許文献】
【０００６】
【特許文献１】実開昭６３−２２８１５号公報
【特許文献２】特開２０１２−２５７３０号公報
【特許文献３】特開２００４−２２０７号公報
【発明の概要】
【発明が解決しようとする課題】
【０００７】
ブラシ状の塗布具で化粧料を塗布するにあたっては、多色の化粧料が意図せず混色しないように留意する必要がある。互いに色が異なる化粧料がブラシ部または容器内で混色すると、任意の一色を選択して用いることができず、また所望の混合比で多色を混合することもできなくなるため、希望する色に化粧を仕上げることが困難となる。
【０００８】
しかしながら、特許文献１のような従来のブラシ状の塗布具は、ブラシ部および柄部が点対称形であるため、使用者はブラシ部の向きを容易に識別することができない。このため、多色に充填された化粧料を特許文献１のようなブラシ状の塗布具で塗布する場合、各回の化粧動作で把持される塗布具におけるブラシ部の向きはランダムとなる。これにより、前回の化粧時にブラシ毛に付着して残留する化粧料が他の色の化粧料に付着してブラシ部または容器内で混色することとなる。なお、各色の化粧料の充填幅よりも毛幅が小さい小幅のブラシを各色専用に用意することで化粧料の混色を避けることはできるが、複数本のブラシを使い分けることは煩雑であり、また毛幅が小さいブラシで化粧をすることは化粧効率の点で支障となる場合がある。
【０００９】
上記の課題は、塗布剤が化粧料である場合に限らず発生する。本発明は上述のような事情に鑑みてなされたものであり、異種の塗布剤の混合を避けることが可能なブラシ状の塗布具、およびかかる塗布具の一つの用途として当該塗布具を備える化粧品を提供するものである。
【課題を解決するための手段】
【００１０】
本発明は、柄部と、前記柄部にブラシ毛が植設されて形成されたブラシ部と、を備える塗布具に関するものであり、前記ブラシ部の幅方向の中心を通り前記ブラシ毛の先基端方向に延在する回転軸に関して、前記柄部が反転非対称形状かつ前記ブラシ部の性状が反転非対称であることを特徴とする塗布具を提供するものである。
【００１１】
また本発明は、上記の塗布具と、化粧料収容部を有する容器本体と、前記化粧料収容部に所定の配列方向に並べて充填された異種の化粧料と、前記塗布具を収容するブラシ収容部と、を備える化粧品を提供するものである。
【発明の効果】
【００１２】
本発明の塗布具によれば、柄部を把持する使用者は柄部の向きを容易に識別することが可能であり、このため、柄部に植設されたブラシ部の向きを取り違えることなく、ブラシ部が常に同じ向きとなるようにして塗布具を使用することができ、異種の塗布剤の混合を避けることが可能である。またかかる塗布具を備える化粧品によれば、使用者はブラシ収容部に収容された塗布具の柄部を把持して塗布具を取り出すにあたり、柄部の向きを容易に識別することが可能であり、このため、異種の化粧料に対して塗布具のブラシ部を常に同じ向きにして当てることができ、ブラシ部または容器内における異種の化粧料の混合を避けることが可能である。
【図面の簡単な説明】
【００１３】
【図１】本発明の実施形態にかかる塗布具の斜視図である。
【図２】塗布具の平面図である。
【図３】塗布具の底面図である。
【図４】塗布具の右側面図である。
【図５】図２のＡ−Ａ線断面図である。
【図６】図２のＢ−Ｂ線断面図である。
【図７】塗布具を容器本体から取り出した状態を示す化粧品の斜視図である。
【図８】塗布具が容器本体に収容された化粧品の開放状態の平面図である。
【図９】保護シートの平面図である。
【図１０】化粧品の使用状態を説明する平面図である。
【図１１】変形例に係る塗布具を示す図である。
【図１２】変形例に係る塗布具を示す図である。
【発明を実施するための形態】
【００１４】
以下、本発明の実施形態について図面を用いて説明する。なお、各図面において同様の構成要素には同様の符号を付し、適宜説明を省略する。
【００１５】
図１は本実施形態の塗布具１０の斜視図である。図１においては柄部２０の表面の立体形状を濃淡で示している。図２は塗布具１０の平面図であり、図３は塗布具１０の底面図である。図３は、図２に示す塗布具１０を回転軸ＡＸに関して反転させた状態にあたる。
図４は塗布具１０の右側面図である。そして、図５は図２のＡ−Ａ線断面図であり、図６は図２のＢ−Ｂ線断面図である。Ａ−Ａ線は、第一の毛領域４３と第二の毛領域４４との境界４５を通り且つ回転軸ＡＸに対して平行な切断面である。図５および図６に示す断面図において、柄部２０の断面形状における外形線に囲まれる領域を左上がりハッチング又は斜めクロスハッチングで示し、各断面に表れる多数のブラシ毛４２を包絡する領域を右上がりハッチングで示している。
【００１６】
はじめに、本実施形態の概要について説明する。本実施形態の塗布具１０は、柄部２０と、この柄部２０にブラシ毛４２が植設されて形成されたブラシ部４０と、を備えている。図２および図３に示すように、ブラシ部４０の幅方向の中心を通りブラシ毛４２の先基端方向（図２における左右方向）に延在する回転軸ＡＸに関して、柄部２０は反転非対称形状であり、かつブラシ部４０の性状が反転非対称である。回転軸ＡＸは、ブラシ部４０の中心軸である。なお、回転軸、反転等の用語は、柄部２０及びブラシ毛４２の形状及び性状の説明のため便宜的に用いたものであり、塗布具１０の実際の操作とは関係はない。
柄部２０が回転軸ＡＸに関して反転非対称形状であるとは、操作部２０が回転軸ＡＸを対称軸とする反転対称形にはなっていないことを意味する。
また、ブラシ部４０の性状が回転軸ＡＸに関して反転非対称であるとは、ブラシ部４０の性状が回転軸ＡＸを対称軸とする反転対称にはなっていないことを意味する。
柄部２０が回転軸ＡＸに関して反転非対称形状であるため、使用者は、視覚的及び触覚的に柄部２０の形状を確認することによって、柄部２０の向き、ひいては塗布具１０の向きを容易に識別することができる。
【００１７】
柄部２０には多数のブラシ毛４２が植設されている。ここで、ブラシ毛４２が多数であるとは、一見して本数を正確に把握できない程度の数量、たとえば１００本以上、のブラシ毛４２が存在することをいう。柄部２０にブラシ毛４２が植設されているとは、ブラシ毛４２が柄部２０から突出するように柄部２０に支持されていることをいう。
ここで、各ブラシ毛４２において柄部２０から突出している部分の集合体がブラシ部４０であり、各ブラシ毛４２において、柄部２０に埋設されている部分は、ブラシ部４０には含まれないものとする。
【００１８】
また、ブラシ毛４２の先基端方向とは、柄部２０から突出するブラシ毛４２の基端４７と毛先４６とを結ぶ略直線方向を、多数のブラシ毛４２に関して平均化したものである。図２に示すように、多数のブラシ毛４２は柄部２０から概略左方に突出しており、ブラシ毛４２の先基端方向は図２の左右方向である。
一方、ブラシ部４０の幅方向とは、ブラシ毛４２の先基端方向に対して直交する方向であって、かつブラシ部４０の形成寸法が最大となる方向である。以下、ブラシ部４０の幅方向を毛幅方向ＤＲと呼称する場合がある。また、ブラシ毛４２の先基端方向およびブラシ部４０の幅方向の双方に対して直交する方向をブラシ部４０の厚み方向という。図２および図４の上下方向がブラシ部４０の幅方向（毛幅方向ＤＲ）にあたり、図４の左右方向がブラシ部４０の厚み方向にあたる。回転軸ＡＸは、毛幅方向ＤＲおよび厚み方向に関するブラシ部４０の中心を通りブラシ毛４２の先基端方向に延在する仮想的な軸線である（図２および図３参照）。
【００１９】
柄部２０は回転軸ＡＸに関して反転非対称形状である。すなわち、回転軸ＡＸを中心に柄部２０を１８０度だけ軸回転させても、元の柄部２０の三次元形状と一致しない。柄部２０の形状は、好ましくは、回転軸ＡＸを軸心として柄部２０を１８０度、１２０度、９０度など３６０／Ｎ（ただし、Ｎは２以上の整数）度回転させても、元の柄部２０の三次元形状と重ならない回転非対称形状である。
【００２０】
ブラシ部４０は、回転軸ＡＸに関してその性状が反転非対称である。
ブラシ部４０の性状とは、ブラシ部４０またはこれを構成するブラシ毛４２に関する、使用者が識別可能な視覚的状態または触覚的性質である。ブラシ部４０は、視覚的状態または触覚的性質の一方のみが回転軸ＡＸに関して非対称であってもよく、または視覚的状態および触覚的性質の双方が回転軸ＡＸに関して非対称であってもよい。
ブラシ部４０の性状が回転軸ＡＸに関して反転非対称であることにより、塗布具１０の使用者はブラシ部４０の向きを視覚的または触覚的に識別することができる。
ブラシ部４０の視覚的状態としては、ブラシ部４０の毛先部分の輪郭形状が回転軸ＡＸに関して反転非対称である等の形状的な特性を挙げることができる。上記の形状的な特徴の例としては、第一の毛領域４３または第二の毛領域４４の一方の毛先部分の輪郭形状を鋸歯状や波状等の凹凸形状とし、他方を平滑な直線状や曲線状とすることが挙げられる。この場合、凹凸形状の凹凸深さを、使用者が第一の毛領域４３と第二の毛領域４４とを視覚的に識別可能な程度に十分な大きさにするとよい。このほか、ブラシ部４０の視覚的状態としては、ブラシ部４０を構成するブラシ毛４２の色彩や植毛密度など、ブラシ部４０の非形状的な特性を挙げることができる。また、ブラシ部４０の触覚的性質としては、ブラシ毛４２の太さ、硬さ、腰の強さ、毛先の細さのほか、ブラシ毛４２が直毛であるか縮毛であるかを示す直毛度合いなどを挙げることができる。
【００２１】
このため、使用者が塗布具１０を使用するにあたり、柄部２０の形状およびブラシ部４０の性状を視覚的または触覚的に確認することで塗布具１０の向きを容易に認識することができる。よって、使用者が塗布具１０を何度も繰り返して使用するにあたり、柄部２０を前回把持したときの視覚的または触覚的な記憶や、ブラシ部４０の目視状態または指先や肌等にブラシ毛４２が触れたときの触覚によって、ブラシ部４０の向きが前回と一致しているかまたは不一致であることを感覚的に察知することができる。これにより、使用者が塗布具１０を繰り返して使用するに際し、化粧料７０、７１（図１０参照）などの塗布剤に対してブラシ部４０を毎回同じ向きで接触させることが容易となる。よって、異種の塗布剤どうしの混合を避けることができる。
【００２２】
次に、本実施形態の塗布具１０、および塗布具１０を備える化粧品１００（図７参照）を詳細に説明する。
【００２３】
塗布具１０は、種々の塗布剤の塗布に用いられる。塗布される塗布剤の形態は、粉状のほか液状またはゲル状でもよい。塗布剤としては、後述する化粧料７０、７１（図１０参照）が例示され、具体的にはチークやハイライトなどの肌用のメイクアップ剤が例示される。すなわち、本実施形態の塗布具１０は、たとえばチークブラシやフェイスブラシなどの化粧料を塗布するための化粧用ブラシであり、被塗布物は被化粧者の肌などである。
【００２４】
ブラシ部４０は、多数のブラシ毛４２の集合体であり、ブラシ毛４２の全体または先端などの一部に塗布剤を取って被塗布物に塗布するために用いられる。柄部２０は、塗布具１０を使用するにあたり使用者が指や掌で把持する部位である。塗布具１０の大きさは特に限定されないが、たとえば、図２に示す平面視にて直径３ｃｍ以上１０ｃｍ以下の円形領域に包含される程度の大きさであり、使用者は塗布具１０の柄部２０を指で摘むようにして使用することができる。なお、塗布具１０の使用者と、化粧料などの塗布剤が塗布される被塗布者（被化粧者）とは一致する場合と一致しない場合がある。柄部２０は、図２に示すように、ブラシ部４０の基端４７に連接されており、ブラシ部４０を基準として、ブラシ部４０の先基端方向のうち基端側（基端方向）に位置している。すなわち、柄部２０において使用者が指で摘む部分は、ブラシ部４０を基準として、ブラシ部４０の先基端方向のうち基端側（基端方向）に位置している。
柄部２０は板状に形成されており、柄部２０の板面方向は、ブラシ部４０の先基端方向を含んでいる。つまり、柄部２０の板面の法線方向は、ブラシ部４０の先基端方向に対して直交している。
【００２５】
＜ブラシ部４０およびブラシ毛４２について＞
ブラシ毛４２には、天然繊維または合成繊維を用いることができる。天然繊維としては、たとえば、馬や山羊などの動物の毛や、パームなどの植物繊維を用いることができる。合成繊維としては、ナイロンなどのポリアミド系樹脂；ポリトリメチレンテレフタレート、ポリエチレンテレフタレートまたはポリブチレンテレフタレートなどのポリエステル系樹脂；ポリテトラフルオロエチレンなどのフッ素系樹脂；またはポリエチレンなどのポリオレフィン系樹脂などを用いることができる。
【００２６】
ブラシ部４０の形状（柄部２０に植設された多数のブラシ毛４２において柄部２０から突出している部分を包絡する領域の形状）は特に限定されず、板状に形成されていてもよいし、或いは、円柱状や角柱状に形成されていてもよい。また、多数のブラシ毛４２は全体にひとまとまりに植設されてもよく、または互いに離間する複数箇所に植設されてもよい。言い換えると、塗布具１０はブラシ部４０を１個のみ備えてもよく、または複数個の互いに離間するブラシ部４０を備えてもよい。
【００２７】
本実施形態のブラシ部４０は板状をなし、図４に示すように、毛幅方向ＤＲにおけるブラシ部４０の最大寸法（ブラシ幅ＷＢ）は、毛幅方向ＤＲに直交する厚み方向におけるブラシ部４０の最大寸法（ブラシ厚みＴＢ）よりも大きい。本実施形態のブラシ部４０は扁平形状であり、具体的には柄部２０より突出するブラシ毛４２の基端４７を通り回転軸ＡＸ（図２参照）に直交する断面においてブラシ部４０の毛幅方向ＤＲの寸法が厚み方向の寸法よりも大きい扁平形状となっている。柄部２０も同様に、毛幅方向ＤＲの最大寸法（柄幅Ｗ）が厚み方向の最大寸法（柄厚みＴ）よりも大きい板状をなしている。言い換えると、柄部２０も回転軸ＡＸに直交する断面が扁平形状となっている。ブラシ部４０の厚み方向と柄部２０の厚み方向とは一致している。これにより本実施形態の塗布具１０は全体としても板状をなし、使用者は柄部２０の表裏の主面２１（図２、図５参照）を指で摘むことにより柄部２０を把持して塗布具１０を用いることができる。なお、主面２１は、柄部２０の外面において、第一の毛領域４３及び第二の毛領域４４の並び方向と回転軸ＡＸとを含む平面に対して並列な面である。
そして、肌などの被塗布物の表面（以下、「作用面」という場合がある）に対してブラシ部４０の毛先４６を接触させた状態で塗布具１０を任意の方向に移動させて使用することができる。これにより、塗布剤を作用面に対して最大でブラシ幅ＷＢにて塗布することができる。
【００２８】
ここで、ブラシ部４０の毛幅方向ＤＲは、塗布具１０を用いて作用面に塗布剤を最大幅で塗布する際に塗布領域の幅方向となる方向であり、言い換えると、ブラシ毛４２の作用面の法線方向と塗布具１０の送り方向（ブラシ毛４２の移動方向）との双方に対して交差する方向である。
【００２９】
より具体的には、図２に示すように、本実施形態の塗布具１０のブラシ部４０の外形は、回転軸ＡＸを中心とする回転対称（反転対称）形状、かつブラシ部４０の先端に向けて毛幅方向ＤＲの両側に広がるように放射状に形成されている。これにより、ブラシ部４０の毛幅方向ＤＲの両側における塗布条件が均等になり、作用面に対して塗布剤をむら無く塗布することができる。また、柄部２０の柄幅Ｗよりもブラシ部４０のブラシ幅ＷＢを大きくすることができる。
【００３０】
本実施形態の塗布具１０においては、上述したように柄部２０が回転軸ＡＸまわりに反転非対称形状であることに加えて、ブラシ部４０の第一の毛領域４３および第二の毛領域４４に含まれるブラシ毛４２の色彩を互いに異ならせている。これにより、ブラシ部４０の外形が上記のように回転対称形状であっても、ブラシ毛４２の色彩に基づいてブラシ部４０の向きを視覚的に識別することができる。
【００３１】
すなわち、ブラシ部４０は、毛幅方向ＤＲの一方側と他方側に、ブラシ毛４２をそれぞれ含む第一の毛領域４３および第二の毛領域４４を有している。毛領域とはブラシ毛４２の集合であり、ブラシ部４０の部分領域である。第一の毛領域４３および第二の毛領域４４に含まれる少なくとも一部のブラシ毛４２の性状は互いに異なる。本実施形態の塗布具１０では、上記のブラシ毛４２同士で互いに異なる性状は、色彩である。以下、第一の毛領域４３に含まれるブラシ毛４２をブラシ毛４２Ｂと呼称し、第二の毛領域４４に含まれるブラシ毛４２をブラシ毛４２Ｗと呼称するとともに、ブラシ毛４２Ｂおよびブラシ毛４２Ｗをあわせてブラシ毛４２と総称する場合がある。
塗布具１０を回転軸ＡＸに関して反転させたことを使用者が認知できるよう、第一の毛領域４３および第二の毛領域４４に含まれるブラシ毛４２の一部または全部の性状が互いに異なることが好ましい。第一の毛領域４３と第二の毛領域４４にそれぞれ含まれるブラシ毛４２が各領域の全体において互いに性状が異なることがより好ましい。これにより、第一の毛領域４３および第二の毛領域４４を使用者が混同することをより防止し、塗布具１０の繰り返しの使用時にブラシ部４０の向きが反転して使用されて化粧料が混合することが避けられる。本実施形態では、図１に示すように、第一の毛領域４３と第二の毛領域４４にそれぞれ含まれるブラシ毛４２は、各領域の全体において色彩が互いに異なっている。
【００３２】
本実施形態では、ブラシ毛４２の色彩が互いに異なる２個の領域（第一の毛領域４３および第二の毛領域４４）をブラシ部４０が有する態様を例示するが、本発明はこれに限られない。ブラシ毛４２が呈する色彩に基づいて使用者がブラシ部４０の向きを識別できるかぎり、ブラシ毛４２の色彩が異なる領域は３個以上あってもよい。ここで、複数の毛領域においてブラシ毛４２の色彩が異なるとは、当該複数の領域を対比観察したときにブラシ毛４２の色彩に基づいて互いに識別できることをいう。各領域に含まれるブラシ毛４２の色彩はそれぞれ均一であってもよく、または色彩が異なる個々のブラシ毛４２の集合体として各領域の色彩が巨視的に識別可能であってもよい。すなわち一例として、第一の毛領域４３に含まれる多数のブラシ毛４２Ｂの色彩が均一であり、また第二の毛領域４４に含まれる多数のブラシ毛４２Ｗの色彩がブラシ毛４２Ｂと異色かつ均一であってもよい。または、第一の毛領域４３と第二の毛領域４４の色彩が巨視的に識別可能であるかぎり、第一の毛領域４３に含まれる多数のブラシ毛４２Ｂの一部本数の色彩と、第二の毛領域４４に含まれる多数のブラシ毛４２Ｗのうちの一部本数の色彩とが共通していてもよい。また、巨視的に観察される第一の毛領域４３の色彩は、当該第一の毛領域４３の内部において均一であってもよく、または第一の毛領域４３の内部で色彩のむらや、色調差または階調差を有していてもよい。第二の毛領域４４に関しても同様である。したがって、第一の毛領域４３と第二の毛領域４４とで明瞭に色分けがされていてもよく、または第一の毛領域４３から第二の毛領域４４に亘ってブラシ毛４２の色が多段階に変化してもよい。
【００３３】
このうち、本実施形態の塗布具１０では、第一の毛領域４３に含まれるブラシ毛４２Ｂおよび第二の毛領域４４に含まれるブラシ毛４２Ｗは互いに異色であり、かつそれぞれ単一色を呈する。
【００３４】
ここで、ブラシ毛４２同士の色彩が異なるとは、当該ブラシ毛４２同士の明度、彩度または色相のいずれか１つ以上が異なることをいう。このうち、特に暗所（薄暗い場所）での視覚的な識別性が良好である観点から、明度が異なることが好ましい。本実施形態の塗布具１０では、第一の毛領域４３に含まれるブラシ毛４２Ｂおよび第二の毛領域４４に含まれるブラシ毛４２Ｗの色彩は、明度が互いに異なる。そして、明度がより高い色を呈するブラシ毛４２Ｗが第二の毛領域４４に植設されており、明度がより低い色を呈するブラシ毛４２Ｂが第一の毛領域４３に植設されている。ブラシ毛４２Ｗは白色などの淡色を呈し、ブラシ毛４２Ｂは黒色や茶色などの濃色を呈する。
【００３５】
ブラシ毛４２としてナイロンなどの合成繊維を用いる場合、ブラシ毛４２Ｗは白色などの淡色に着色された樹脂材料を用いて作成し、ブラシ毛４２Ｂは黒色や茶色などの濃色に着色された樹脂材料を用いて作成することができる。また、ブラシ毛４２として、たとえば馬の毛を用いる場合、ブラシ毛４２Ｗには白毛や芦毛を選択して用い、ブラシ毛４２Ｂには黒鹿毛や鹿毛を選択して用いることができる。
【００３６】
図１および図２に示すように、ブラシ毛４２の基端４７における、毛幅方向ＤＲに沿った第一の毛領域４３の寸法を毛幅寸法ＷＢ１とし、第二の毛領域４４の寸法を毛幅寸法ＷＢ２とする。第一の毛領域４３の毛幅寸法ＷＢ１と第二の毛領域４４の毛幅寸法ＷＢ２とは同じ幅でもよく、また互いに異なる幅でもよい。このうち、本実施形態の第一の毛領域４３の毛幅寸法ＷＢ１は第二の毛領域４４の毛幅寸法ＷＢ２よりも大きい。これにより、性状が互いに異なる第一の毛領域４３のブラシ毛４２Ｂおよび第二の毛領域４４のブラシ毛４２Ｗの集合同士の境界４５は、ブラシ部４０における毛幅方向ＤＲの中心よりも一方側（第一の毛領域４３）または他方側（第二の毛領域４４）に偏って位置している。より具体的には、第一の毛領域４３と第二の毛領域４４との境界４５は毛幅方向ＤＲの中心から第二の毛領域４４の側に偏った位置に存在する。これにより、ブラシ部４０を目視した使用者に非対称性な印象を想起させるため、後述する柄部２０の非対称形状と相俟って、塗布具１０の向きを使用者が誤ることを好適に防止することができる。本実施形態のブラシ部４０は、毛幅寸法ＷＢ２が狭い第二の毛領域４４に、明度が高い色を呈するブラシ毛４２Ｗが植設されているため、第二の毛領域４４の印象を強くすることができ、ブラシ部４０の向きを取り違え難くなる。
【００３７】
本実施形態のブラシ部４０は、第一の毛領域４３と第二の毛領域４４が呈する色彩が互いに異なる点を除き、ブラシ毛４２の性状は第一の毛領域４３と第二の毛領域４４とで共通としてもよい。具体的には、第一の毛領域４３および第二の毛領域４４にそれぞれ含まれて色彩が互いに異なるブラシ毛４２Ｂ、４２Ｗの径および曲げ剛性は、互いに共通である。このため、ブラシ毛４２の腰の強さや肌触りは第一の毛領域４３と第二の毛領域４４とで共通であり、作用面に対する塗布性も共通化することができる。
【００３８】
本実施形態のブラシ部４０は、縮毛のブラシ毛と直毛のブラシ毛とが混在して形成されている。これにより、塗布剤がブラシ毛４２に良好に絡みついて塗布性が向上するとともに、柔軟な肌触りを実現することができる。なお、縮毛のブラシ毛は、ブラシ毛４２の材料となる合成繊維に捲縮加工を施すことにより作成することができる。
【００３９】
上述のようにブラシ部４０は毛幅方向ＤＲの両側に広がるように放射状に形成され、かつ第一の毛領域４３と第二の毛領域４４との境界４５は第二の毛領域４４の側に偏って位置している。このため、図４に示すように、ブラシ部４０を構成するブラシ毛４２のうち、少なくともこの境界４５の近傍に植設されたブラシ毛４２ａは、毛幅方向ＤＲに対して第二の毛領域４４の側に傾斜して柄部２０から突出している。具体的には、ブラシ毛４２ａは、基端４７から毛先４６に向かって毛幅方向ＤＲの外向き傾斜している。これにより、ブラシ毛４２を化粧料７０、７１などの塗布剤に押し当てることでブラシ毛４２ａの毛先４６が毛幅方向ＤＲの外側に移動し、境界４５の近傍のブラシ毛４２に対して異種の化粧料７０、７１を適度に混合させて付着させることができる。
【００４０】
＜柄部２０について＞
柄部２０は使用者が手指で把持して用いる部位である。柄部２０の寸法のうち、ブラシ毛４２の先基端方向における長さ（図２における左右方向の長さ）を把持長さＬ２と呼称する。本実施形態の柄部２０は、図２に示すように、毛幅方向ＤＲに関する一部領域に、ブラシ毛４２の基端側に延在する把持長さＬ２が他の領域よりも長く形成された張出部２４を有し、第一の毛領域４３に対応する位置よりも第二の毛領域４４に対応する位置において、ブラシ毛４２よりも基端側に延在する把持長さが長く形成されている。ここでいう基端側とは、いずれも、ブラシ毛４２の先基端方向のうち基端方向を意味し、把持長さは、ブラシ毛４２から基端方向に向けての柄部２０の長さ寸法である。すなわち、柄部２０において、第一の毛領域４３に対応する部分での把持長さよりも、第二の毛領域４４に対応する部分での把持長さが長い。
ここで、第一の毛領域４３に対応する位置における柄部２０の把持長さとは、第一の毛領域４３のブラシ毛４２Ｂが植設された毛幅寸法ＷＢ１の範囲における柄部２０の把持長さＬ２の平均である。同様に、第二の毛領域４４に対応する位置における柄部２０の把持長さとは、第二の毛領域４４のブラシ毛４２Ｗが植設された毛幅寸法ＷＢ２の範囲における柄部２０の把持長さＬ２の平均である。張出部２４は、第一の毛領域４３と第二の毛領域４４との境界４５の対向位置に形成されている。図２に示すＡ−Ａ線は、境界４５および張出部２４を通過する切断面である。
ここで、柄部２０において、第一の毛領域４３よりも明度が高い第二の毛領域４４と対応する部分（張出部２４）での把持長さが、第一の毛領域４３と対応する部分での把持長さよりも長くなっている。これにより、第二の毛領域４４の印象と柄部２０において第二の毛領域４４と対応する部分の印象とを相乗的に強くすることができ、ブラシ部４０の向きを取り違えをより確実に抑制することができる。
【００４１】
柄部２０は、ブラシ毛４２が植設されている内縁部２６と、この内縁部２６に対して基端側に対向する外縁部２８と、を有している。ここでいう基端側も、ブラシ毛４２の先基端方向のうち基端方向を意味する。すなわち、外縁部２８は、内縁部２６を基準として基端方向に位置し、且つ、内縁部２６と外縁部２８とは、ブラシ毛４２の先基端方向において互いに反対端に位置している（つまり対向している）。柄部２０の内縁部２６は、ブラシ毛４２が突出する端面であり、毛幅方向ＤＲに沿って延在する柄部２０の側面である。本実施形態の内縁部２６は、平面状に形成されており、且つ、先端凹部２２（図５、図６参照）が開口している。外縁部２８は柄部２０の側面のうちブラシ部４０とは反対側の側面である。本実施形態の外縁部２８は滑らかに湾曲する凸面状に形成されている。
多数のブラシ毛４２は柄部２０から放射状に突出している。柄部２０の内縁部２６はブラシ部４０の毛幅方向ＤＲと平行に形成されている。一方、外縁部２８は毛幅方向ＤＲに対して斜めに傾斜している。具体的には、外縁部２８は、第一の毛領域４３から第二の毛領域４４に向かって、把持長さＬ２が拡大するように傾斜している（言い換えると内縁部２６から離間する向きに傾斜している）。
柄部２０における内縁部２６は、ブラシ部４０の毛幅方向ＤＲおよび厚み方向の中心を通りブラシ毛４２の先基端方向に延在する回転軸ＡＸに関して反転対称かつ回転対称形状である。一方、柄部２０における外縁部２８は、回転軸ＡＸに関して反転非対称形状である。また、図２に示すように、柄部２０は内縁部２６において毛幅方向ＤＲの寸法（幅寸法）が最大（柄幅Ｗ）であり、外縁部２８においては内縁部２６よりも幅寸法が小さくなっている。本実施形態の塗布具１０は、柄部２０の寸法が過大とならず後述する化粧品１００の容器本体６０（図７参照）への収納性が良好であるうえに、張出部２４が毛幅方向ＤＲにおける片側に偏って形成されていて柄部２０が回転軸ＡＸに関して反転非対称形状であるため塗布具１０の向きを容易に識別することができる。
【００４２】
図２に示すように、ブラシ毛４２の先基端方向の最大長さ（毛長Ｌ１）は、柄部２０の把持長さＬ２の最大長よりも大きい。これにより、塗布具１０の全体の寸法に比してブラシ毛４２の長さＬ１を大きく確保することができるため塗布具１０は塗布性に優れる。ブラシ毛４２ごとの先基端方向の長さは、多数のブラシ毛４２に亘って均一でもよく、または異なってもよい。本実施形態の塗布具１０では、ブラシ部４０のうち毛幅方向ＤＲの中心に位置するブラシ毛４２において、先基端方向の長さが最大になっている。
【００４３】
塗布具１０は、柄部２０の表面（例えば主面２１）に窪み部３０を有している。窪み部３０はブラシ部４０の毛幅方向ＤＲに非対称形状である。これにより、窪み部３０に指を掛けて柄部２０を把持したときに、使用者は触覚的に柄部２０の向きを認識することができる。ここで、窪み部３０が毛幅方向ＤＲに非対称形状であるとは、柄部２０における窪み部３０の形成位置および／または窪み部３０自体の形状が、毛幅方向ＤＲに見て非対称、すなわち柄部２０の柄幅Ｗの中心を通り回転軸ＡＸ（図２参照）に平行な軸線を含み且つ柄部２０の厚み方向に対して平行な平面に関して鏡面非対称であることをいう。本実施形態の塗布具１０において、ブラシ部４０と柄部２０の幅中心は一致している。したがって、窪み部３０は回転軸ＡＸを含み且つ柄部２０の厚み方向に対して平行な平面に関して鏡面非対称である。
【００４４】
本実施形態の塗布具１０は、柄部２０が回転軸ＡＸまわりに反転非対称形状であり、かつ柄部２０の表面に形成された窪み部３０が毛幅方向ＤＲに非対称形状である。このため、使用者は柄部２０を把持する指を通じて、柄部２０の張出部２４の位置および窪み部３０の向きを触覚的に感知することができ、これにより視覚に頼らずとも塗布具１０の向きを認識することができる。このため、塗布具１０の向きを使用者が誤ることが好適に防止される。
【００４５】
窪み部３０のうち、ブラシ毛４２に近接している近傍縁３４は柄部２０の内縁部２６に沿って形成され、ブラシ毛４２から離間している遠方縁３６は柄部２０の外縁部２８に沿って形成されている。これにより、図２および図３に示すように、窪み部３０は柄部２０の外形と略同一形状をなし、より具体的には平面視にてＤ字状をなしている。
【００４６】
図５および図６に示すように、窪み部３０は、板状の柄部２０の表裏両面に鏡面対称に形成されている。これにより使用者は、たとえば親指と人差指で柄部２０を表裏両面から摘んで把持したときに、当該親指と人差指を柄部２０の表裏の窪み部３０にそれぞれ掛けて柄部２０を良好に把持することができる。
【００４７】
窪み部３０の最深部３２は、柄部２０のうち第二の毛領域４４の側に偏った位置に形成されている。より具体的には、窪み部３０の最深部３２は、境界４５と張出部２４とを結ぶライン（Ａ−Ａ線）上に形成されている。これにより、柄部２０を自然な動作で把持する使用者の親指の腹が窪み部３０の最深部３２にあてがわれる。よって、第一の毛領域４３と第二の毛領域４４との境界４５を注視して塗布動作を行うことが容易となる。
【００４８】
図５および図６に示すように、窪み部３０は、板状の柄部２０の主面２１に滑らかに連なる凹状に形成されている。これにより、窪み部３０に指を掛けたときに使用者が触覚的な違和感を受けることが抑えられ、また窪み部３０に指を掛ける位置を過度に制約することがない。
【００４９】
多数のブラシ毛４２は柄部２０の先端凹部２２の内部で互いに束ねられて埋込部４８が形成されている。第一の毛領域４３を構成するブラシ毛４２Ｂと、第二の毛領域４４を構成するブラシ毛４２Ｗとが、それぞれ多数本ずつ束ねられたうえで、ブラシ毛４２Ｂの束とブラシ毛４２Ｗの束とが毛幅方向ＤＲにおいて互いに隣接する状態でブラシ毛４２Ｂ及びブラシ毛４２Ｗの一端部が柄部２０に埋め込まれることにより、埋込部４８が形成されている。これにより、ブラシ毛４２の根元が柄部２０に固定され、ブラシ毛４２が柄部２０から抜けることが規制されている。埋込部４８は先端凹部２２に対して接着固定されてもよい。本実施形態の柄部２０は、一対の半体が接合部２９で接着接合されて構成されている。多数のブラシ毛４２は、埋込部４８で折り曲げられて互いに束ねられてもよく、またはブラシ毛４２の端部が基材（図示せず）に植え付けられることにより埋込部４８が形成されてもよい。
【００５０】
なお、上述した柄部２０の構造は一例であり、柄部２０に植設されたブラシ毛４２を固定する態様は上記に限られない。たとえば金属製の口金部（図示せず）を柄部２０の内縁部２６に設けてもよい。
【００５１】
本実施形態の塗布具１０は種々の用途に用いられる。たとえば後述するように化粧料を塗布する化粧用途に用いられるほか、染料や顔料等のインクを紙やスタンプ等に塗布する文房具などの用途に用いることができる。
【００５２】
＜化粧品１００について＞
図７から図１０を用いて、本実施形態の塗布具１０を備える化粧品１００について説明する。図７は塗布具１０を容器本体６０から取り出した状態を示す化粧品１００の斜視図であり、図８は塗布具１０が容器本体６０に収容された化粧品１００の開放状態の平面図である。図９は保護シート８２の平面図である。図１０は化粧品１００の使用状態を説明する平面図である。
【００５３】
本実施形態の塗布具１０を用いて塗布される化粧料７０、７１としては、たとえば、チーク、ハイライト、シェーディング、ファンデーションまたはコンシーラー等のメイクアップ剤のほか、美容液や美白クリームなどのスキンケア剤、染毛剤や毛髪脱色剤などの毛髪手入れ用製剤、育毛剤などの発毛促進あるいは発毛抑制をする剤、香水などの香料用の製剤などが挙げられる。
【００５４】
化粧品１００は、上記の塗布具１０と、化粧料収容部６２を有する容器本体６０と、この化粧料収容部６２に所定の配列方向（図１０における上下方向）に並べて充填された異種の（互いに異種の）化粧料７０、７１と、塗布具１０を収容するブラシ収容部８０と、を備えている。ブラシ収容部８０は、後述する蓋部９０と保護シート８２との間に形成される空間であり、異種の化粧料７０、７１に跨る上方に形成されている。すなわち、ブラシ収容部８０は、化粧料７０の上方から化粧料７１の上方に跨がる空間により構成されている。そして、本実施形態の塗布具１０は、ブラシ部４０の毛幅方向ＤＲを化粧料７０、７１の配列方向（並び方向）に向けてブラシ収容部８０に収容されている。
【００５５】
容器本体６０には蓋部９０がヒンジ部９２を介して連結されている。蓋部９０は鏡９１および爪部９３を備え、容器本体６０はロック部９４を備えている。爪部９３とロック部９４とは解除可能に掛止する。ブラシ収容部８０に塗布具１０を収容した状態で蓋部９０を閉じて爪部９３をロック部９４に掛止することで、塗布具１０は化粧料７０、７１と共に容器本体６０の内部に収められる。
【００５６】
化粧品１００は、容器本体６０に取り付けられて化粧料７０、７１の表面を開放可能に覆う保護シート８２を更に備えている。図９に示すように、保護シート８２の周囲（周縁部）には、ブラシ収容部８０に収容された塗布具１０の移動を規制する起立片８４ａ〜８４ｄが形成されている。
【００５７】
保護シート８２は、略円形の保護部８３と、この保護部８３よりも小さい固定片８６とを備えている。保護部８３の周囲に起立片８４ａ〜８４ｄが上方に曲げ形成されている。
保護部８３と固定片８６とは折曲片８５を介して連結されている。図７に示すように、折曲片８５は保護部８３の下方（すなわち起立片８４ａ〜８４ｄの起立方向と逆方向）に略垂直に折り曲げられ、更に固定片８６は折曲片８５を略垂直に折り曲げて保護部８３に対向させて用いられる。固定片８６は容器本体６０における化粧料収容部６２の底面上に固定されている。
保護シート８２は透明でもよく、または不透明でもよい。保護シート８２のうち、特に保護部８３を透明にすることで、図７に示すように保護シート８２の保護部８３を容器本体６０に嵌合させて保護部８３で化粧料収容部６２の表面を覆った状態で、透明な保護部８３を通じて化粧料７０、７１を外部から視認することができる。
【００５８】
起立片８４ａ〜８４ｄは、ブラシ収容部８０に収容された塗布具１０が、化粧品１００の蓋部９０を開けた際にブラシ収容部８０からずれたり不測に落下したりすることを防止する移動規制部である。起立片の数は特に限定されず、１つ以上であればよい。本実施形態では４つの起立片８４ａ〜８４ｄが保護部８３の周囲に分散配置されている態様を例示する。保護部８３で化粧料収容部６２の上部を覆うように保護シート８２を容器本体６０に配置すると、保護部８３の上面に、起立片８４ａ〜８４ｄによって画成される空間であるブラシ収容部８０が形成される。図８に示すように、ブラシ収容部８０に塗布具１０を収容することで、複数の起立片８４ａ〜８４ｄが塗布具１０の柄部２０およびブラシ部４０の近傍に位置する。起立片８４ｃは塗布具１０がヒンジ部９２の側に移動することを防止する。起立片８４ａは柄部２０の外縁部２８のうち第一の毛領域４３に対応する位置を保持し、起立片８４ｄは第一の毛領域４３の毛先４６を保持する。これにより、起立片８４ａおよび起立片８４ｄはロック部９４の側（図８における下方）に塗布具１０が移動してブラシ収容部８０から落下することを防止する。起立片８４ｂは、柄部２０の外縁部２８の中間部を支持し、柄部２０に対して使用者が指でアクセスする側（図８における右方）に塗布具１０が移動または落下することを防止する。また、複数の起立片８４ａ〜８４ｄの少なくとも一つは、ブラシ収容部８０に収容された塗布具１０がブラシ収容部８０に沿って回転することを規制する。より具体的には、起立片８４ｂは、図２に示す収容状態の塗布具１０がブラシ収容部８０の深さ方向（同図の紙面面直方向）を回転軸として時計回りに回転することを規制する。また起立片８４ｃは、同じく塗布具１０が反時計回りに回転することを規制する。ブラシ収容部８０に収容された塗布具１０において、柄部２０の張出部２４は、ブラシ収容部８０の中央からの距離（以下、最大張出長さ）が柄部２０における他の部位よりも大きくなる領域である。一方、ブラシ収容部８０に収容された塗布具１０における張出部２４の両側を挟むように配置される起立片８４ｂおよび８４ｃは、ブラシ収容部８０の中央からの距離が上記の最大張出長さよりも小さい。このため、ブラシ収容部８０に沿って塗布具１０を回転させようとすると張出部２４が起立片８４ｂおよび８４ｃと干渉し、当該回転は規制される。
【００５９】
塗布具１０はブラシ収容部８０に反転不可に収容されてもよい。塗布具１０がブラシ収容部８０に反転不可に収容されているとは、所定の向き（たとえば図２に示す平面視状態）の塗布具１０がブラシ収容部８０に容易に収容可能であり（図８参照）、かつ、この塗布具１０を回転軸ＡＸ（図２参照）まわりに反転させた向き（図８における上下反転）または柄部２０の内縁部２６に関してブラシ部４０と柄部２０とを反転させた向き（図８における左右反転）の少なくとも一方で、塗布具１０がブラシ収容部８０と干渉して収容不可または収容困難となることをいう。これにより、使用後の塗布具１０をブラシ収容部８０に対して上記反転不可の方向に過って反転させて収容することが防止される。
【００６０】
本実施形態の化粧品１００においては、非対称形状の柄部２０と起立片８４ａ〜８４ｄとの位置関係により、塗布具１０はブラシ収容部８０に反転不可に収容される。具体的には、ブラシ収容部８０の周囲のうち、塗布具１０の柄部２０に張出部２４が非形成の一方側（図８における下方側）に対応する位置に起立片８４ａが形成され、張出部２４が形成された他方側（図８における上方側）に対応する位置には起立片が非形成である。このため、柄部２０の張出部２４が起立片８４ａ〜８４ｄと干渉することなく塗布具１０はブラシ収容部８０の内周近傍に収容される。言い換えると、張出部２４に対応する位置に起立片８４ａ〜８４ｄを非形成とするとともに、回転軸ＡＸ（図２参照）に関する張出部２４の対称位置に対応させて起立片８４ａを形成することで、塗布具１０をブラシ収容部８０に反転不可に収容することができる。また、図８に示す収容状態から塗布具１０を左右反転不可とする場合は、起立片８４ａの点対称位置（図８における左上位置）に他の起立片（図示せず）を形成してもよい。
【００６１】
化粧料収容部６２には異種の化粧料７０、７１が充填されている。化粧料７０、７１が異種であるとは、化粧料７０、７１の色彩、成分、組成比率、硬度または粘度などに例示される性状が互いに異なることをいう。本実施形態の化粧品１００においては、化粧料収容部６２に充填されている異種の化粧料７０、７１の色彩が互いに異なる。ここで、化粧料の色彩とは、当該化粧料を被化粧者に塗布した場合に呈する色彩をいうものであり、化粧料収容部６２に充填されている状態における化粧料の色彩を必ずしも意味しない。
化粧料７０、７１は、明度、彩度または色相のいずれか１つ以上が互いに異なる。化粧料７０、７１には、隣接する被化粧部位にそれぞれ塗布される化粧料を選択するとよい。本実施形態の化粧品１００では、化粧料７０、７１の一方は他方よりも明度が低い。たとえば、明度がより低い一方（たとえば化粧料７０）として、頬に塗布されるチークを例示し、明度がより高い他方（たとえば化粧料７１）として、目の下に塗布されるハイライトを例示することができる。このほか、明度がより低い一方（たとえば化粧料７０）として頬の下に塗布されるシャドウ、明度がより高い他方（たとえば化粧料７１）として上記のチークを例示することができる。
化粧料７１はヒンジ部９２に近い側に収容され、化粧料７０はヒンジ部９２から遠い側に収容されている。このため、使用者が化粧品１００を自然に保持したとき化粧料７０は使用者に近い側に位置し、化粧料７１は使用者から遠い側に位置することとなる。
【００６２】
化粧料７０、７１は、化粧料収容部６２の内部に直接に充填されてもよく、または中皿等の補助容器（図示せず）に充填された状態で化粧料収容部６２の内部に設置されてもよい。補助容器を用いる場合、固定片８６（図７参照）は化粧料収容部６２の底面と当該容器との間に保持される。
本実施形態の化粧料収容部６２は円形の凹部であり、化粧料７０、７１を互いに仕切る隔壁を任意で有していてもよい。化粧料７０、７１の配列方向は図１０における上下方向である。隔壁は、化粧料収容部６２の底面に一体形成されていてもよく、または中皿等の補助容器の壁面でもよい。
より詳細には、これら異種の化粧料７０、７１の境界線６４は、化粧料７０、７１の配列方向（図１０の上下方向）に対して斜めに形成されている。これにより、化粧料７０、７１の配列方向に直交する横方向に塗布具１０を動かして化粧料７０、７１をブラシ毛４２に取る場合、ブラシ毛４２の一部は斜めに形成された境界線６４を横切ることとなる。このため、当該一部のブラシ毛４２に対して、化粧料７０、７１が適度に混合して付着する。よって、被化粧部位に対して化粧料７０、７１が過度に明瞭に塗り分けられてしまうことなく自然で連続的な仕上がりで、化粧料７０（たとえばチーク）を頬に、そして化粧料７１（たとえばハイライト）を目の下に、それぞれ塗布することができる。
【００６３】
上述したように、塗布具１０のブラシ部４０は、毛幅方向ＤＲの一方側と他方側に、ブラシ毛４２をそれぞれ含む第一の毛領域４３および第二の毛領域４４を有し、これら第一の毛領域４３および第二の毛領域４４に含まれる少なくとも一部のブラシ毛４２の性状は互いに異なり、具体的には色彩が異なる。そして、毛幅方向ＤＲに関する第一の毛領域４３の毛幅寸法ＷＢ１および第二の毛領域４４の毛幅寸法ＷＢ２は互いに異なり、具体的には毛幅寸法ＷＢ２は毛幅寸法ＷＢ１よりも小さい。
一方、化粧料収容部６２には、第一の化粧料７０と第二の化粧料７１とが充填されており、これら第一の化粧料７０および第二の化粧料７１の配列方向に関する寸法（図１０の上下幅寸法）は、第一の化粧料７０よりも第二の化粧料７１の方が小さい。
塗布具１０は、第一の化粧料７０の上方に第一の毛領域４３が配置され、第二の化粧料７１の上方に第二の毛領域４４が配置されるようにブラシ収容部８０に収容されている。
【００６４】
これにより、塗布具１０をブラシ収容部８０に収容することで、毛幅寸法ＷＢ１が大きい第一の毛領域４３と上下幅寸法が大きい第一の化粧料７０とが対応して配置され、毛幅寸法ＷＢ２が小さい第二の毛領域４４と上下幅寸法が小さい第二の化粧料７１とが対応して配置される。したがって、自然な把持動作をすることで、第一の化粧料７０を専ら第一の毛領域４３のブラシ毛４２Ｂに付着させ、第二の化粧料７１を専ら第二の毛領域４４のブラシ毛４２Ｗに付着させることができる。
【００６５】
上述したように、第一の毛領域４３および第二の毛領域４４に含まれるブラシ毛４２Ｂ、４２Ｗの色彩は明度が互いに異なり、明度がより高い色を呈するブラシ毛４２Ｗが第二の毛領域４４に植設されている。すなわち、使用者が柄部２０を指で把持すると、使用者に近い側に濃色のブラシ毛４２Ｂが位置し、使用者から遠い側に淡色のブラシ毛４２Ｗが位置する。一方、ブラシ収容部８０に収容された塗布具１０における第二の毛領域４４に対向する第二の化粧料７１の明度は、第一の化粧料７０の明度よりも高い。
これにより、塗布具１０をブラシ収容部８０に収容することで、明度が低い濃色の第一の化粧料７０の上に濃色のブラシ毛４２Ｂが対応して配置され、明度が高い淡色の第二の化粧料７１の上に淡色のブラシ毛４２Ｗが対応して配置されることとなる。このため、化粧料７０、７１とブラシ部４０とが正しく対応した状態で塗布具１０がブラシ収容部８０に収容されていることを直感的に理解することができる。また、上述のように第一の化粧料７０をチークとし、第二の化粧料７１をハイライトとする場合、使用者に近い側にあたる第一の毛領域４３にチークが付着し、使用者から遠い側にあたる第二の毛領域４４にハイライトが付着する。したがって、塗布具１０を頬の上部に当てることで、頬にチークを塗布し、それと同時に目の下にハイライトを塗布することができる。
【００６６】
＜変形例＞
次に、図１１及び図１２を用いて、変形例に係る塗布具１０について説明する。
図１１及び図１２の各図のうち、図１１（ａ）は塗布具１０を先端側から視た斜視図、図１１（ｂ）は塗布具１０を基端側から視た斜視図、図１２（ａ）は塗布具１０の平面図、図１２（ｂ）は塗布具１０を図１２（ａ）の矢印Ｂ方向に視た側面図、図１２（ｃ）は塗布具１０を図１２（ａ）の矢印Ｃ方向に視た側面図である。
本変形例に係る塗布具１０は、以下に説明する点で、上記の実施形態に係る塗布具１０と相違する。なお、本変形例に係る塗布具１０において、上記の実施形態に係る塗布具１０と同様の構成については、説明を省略する。
【００６７】
本変形例の場合、ブラシ部４０の第一の毛領域４３と第二の毛領域４４とが、回転軸ＡＸを対称軸とする反転対称形となっている。より詳細には、第一の毛領域４３と第二の毛領域４４とが、回転軸ＡＸを含み且つ柄部２０の厚み方向に対して平行な平面を対称面とする鏡面対称形となっている。ただし、第一の毛領域４３と第二の毛領域４４とは、形状以外の性状（色彩または触覚的性質の少なくとも一方）が回転軸ＡＸに関して反転非対称となっている。ブラシ部４０は、少なくとも色彩が回転軸ＡＸに関して反転非対称となっている。
【００６８】
また、本変形例の場合、図１２（ａ）に示すように、ブラシ毛４２の先基端方向の最大長さ（毛長Ｌ１）よりも把持長さＬ２の方が長い。つまり、回転軸ＡＸの延在方向において、ブラシ部４０の長さよりも柄部２０の長さの方が長い。
【００６９】
更に、ブラシ部４０の幅方向（毛幅方向ＤＲ）におけるブラシ部４０の幅よりも、回転軸ＡＸの延在方向における柄部２０の長さ（把持長さＬ２）の方が長い。
より詳細には、柄部２０の長さ（把持長さＬ２）は、毛幅寸法ＷＢ１と毛幅寸法ＷＢ２との和よりも長い。更に詳細には、柄部２０の長さ（把持長さＬ２）は、毛幅方向ＤＲにおけるブラシ部４０の最大幅よりも長い。
【００７０】
また、本変形例の場合、張出部２４は、第一の毛領域４３と第二の毛領域４４との境界４５の対向位置からずれた位置（例えば第二の毛領域４４側にずれた位置）に形成されている。よって、使用者は、視覚的及び触覚的に張出部２４の位置を確認することよって、柄部２０の向きを容易に認識することができる。
なお、単一の張出部２４が境界４５の対向位置からずれた位置に配置されていることにより、柄部２０は回転軸ＡＸに関して反転非対象形状且つ回転非対称形状に形成されていることになる。
【００７１】
また、本変形例の場合、柄部２０の両面の一部分ずつは、回転軸ＡＸと毛幅方向ＤＲとを含む仮想平面（以下、第一中心面と称する）に対して、毛幅方向ＤＲにおいて傾斜している傾斜面３８となっている。柄部２０の両面の傾斜面３８は、第一中心面を対称面とする鏡面対称に配置されている。このため、柄部２０において傾斜面３８が形成されている部位の厚みは、毛幅方向ＤＲにおいて変化している。より詳細には、例えば、柄部２０において傾斜面３８が形成されている部位の厚みは、第二の毛領域４４と対応する部位から、第一の毛領域４３と対応する部位にかけて、薄くなっている。
よって、使用者は、柄部２０の部位毎の厚みを触覚で確認することによって、柄部２０の向きを容易に認識することができる。また、張出部２４及び傾斜面３８による厚みの変化により、柄部２０の向きを一層容易に認識することができる。
なお、柄部２０の両面の傾斜面３８が中心面を対称面とする鏡面対称に配置されているため、柄部２０の両面の傾斜面３８は回転軸ＡＸに関して回転非対称に配置されていることになるとともに、柄部２０は回転軸ＡＸに関して反転非対象形状且つ回転非対称形状に形成されていることになる。
なお、傾斜面３８を含む主面２１は、内縁部２６側から外縁部２８側に向けて柄部２０の厚みが小さくなる方向に傾斜していても良い。
【００７２】
更には、柄部２０の両面の各々において、傾斜面３８と、主面２１における傾斜面３８の周囲の部分との境界の稜線３９は、回転軸ＡＸを含み且つ第一中心面に対して直交する仮想平面（以下、第二中心面と称する）に関して、非対称な形状に形成されている。このため、使用者は、柄部２０の一方の面の稜線３９の形状を触覚で確認することによっても、柄部２０の向きを容易に認識することができる。
【００７３】
以上、図面を参照して本発明の実施形態及び変形例について述べたが、これらは本発明の例示であり、上記以外の様々な構成を採用することもできる。また、本発明は上述の実施形態及び変形例に限定されるものではなく、本発明の目的が達成される限りにおける種々の変形、改良等の態様も含む。
たとえば、上記実施形態では柄部２０およびブラシ部４０が扁平な薄い板状である態様を例示したが、これに限られず、たとえば柄部２０を棒状とし、当該棒状の柄部２０の端部にブラシ毛４２を植設してなるブラシ部４０を円柱状に形成してもよい。この場合、棒状の柄部２０の周面に使用者の指を掛けるための凹部を形成して、柄部２０を回転軸ＡＸに関して反転非対称形状としてもよい。また、円柱状のブラシ部４０を複数の毛領域に区画し、各毛領域に含まれるブラシ毛４２が呈する色彩を互いに相違させてもよい。
また、上記実施形態では柄部２０に窪み部３０を形成することを例示したが、これに限らず、使用者が指を掛けて用いるための突部（図示せず）を柄部２０の主面２１に形成してもよい。
また、上記実施形態では第一の毛領域４３のブラシ毛４２Ｂと第二の毛領域４４のブラシ毛４２Ｗとが２色に色分けされて明瞭な境界４５が形成されている態様を例示したが、これに限られない。第一の毛領域４３と第二の毛領域４４とを色分けするとともに、境界４５を含む所定の毛幅寸法の毛領域において、第一の毛領域４３と第二の毛領域４４との色調差や階調差をグラデーション変化させてもよい。
上記実施形態では、ブラシ収容部８０に対して使用者に近い側に収容される第一の毛領域４３の毛幅寸法ＷＢ１が、使用者に遠い側に収容される第二の毛領域４４の毛幅寸法ＷＢ２よりも大きい場合を例示した（図２、図８参照）が、これに限られない。毛幅寸法ＷＢ１と毛幅寸法ＷＢ２とは同じ幅でもよく、または第一の毛領域４３の毛幅寸法ＷＢ１が第二の毛領域４４の毛幅寸法ＷＢ２よりも小さくてもよい。たとえば、第一の毛領域４３によって塗布される第一の化粧料７０がシャドウであり、第二の毛領域４４によって塗布される第二の化粧料７１がチークである場合、毛幅寸法ＷＢ１を毛幅寸法ＷＢ２よりも小さくすることで、チークに比してシャドウを細幅で頬の下に塗布することができる。
また、図８に示す収容状態は一例であり、塗布具１０を図８から上下反転させた向きでブラシ収容部８０に収容してもよい。すなわち、ブラシ収容部８０に対してロック部９４に近い側に淡色のブラシ毛４２Ｗで構成される第二の毛領域４４を収容し、ヒンジ部９２に近い側に濃色のブラシ毛４２Ｂで構成される第一の毛領域４３を収容してもよい。そして、色彩が互いに異なる化粧料７０、７１のうち、明度がより高い化粧料７０を化粧料収容部６２のうちヒンジ部９２に近い側に充填し、明度がより低い化粧料７１をロック部９４に近い側に充填してもよい。この場合、たとえば明度がより高い化粧料７０として目の下に塗布されるハイライト、明度がより低い化粧料７１として目の周囲に塗布されるアイシャドウを例示することができる。
【００７４】
本発明の塗布具１０および化粧品１００の各種の構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００７５】
本発明は、上述した実施形態に関し、以下の塗布具１０および化粧品１００を開示する。
＜１＞  柄部と、前記柄部にブラシ毛が植設されて形成されたブラシ部と、を備え、前記ブラシ部の幅方向の中心を通り前記ブラシ毛の先基端方向に延在する回転軸に関して、前記柄部が反転非対称形状かつ前記ブラシ部の性状が反転非対称であることを特徴とする塗布具。
＜２＞  前記ブラシ部が、前記幅方向の一方側と他方側に、前記ブラシ毛をそれぞれ含む第一および第二の毛領域を有し、第一および第二の前記毛領域に含まれる少なくとも一部の前記ブラシ毛の性状が互いに異なることを特徴とする＜１＞に記載の塗布具。
＜３＞  前記性状が互いに異なる前記ブラシ毛の集合同士の境界が、前記ブラシ部における前記幅方向の中心よりも前記一方側または前記他方側に偏って位置している＜２＞に記載の塗布具。
＜４＞前記性状は、色彩である＜２＞または＜３＞に記載の塗布具。
＜５＞  第一および第二の前記毛領域に含まれる前記ブラシ毛の色彩は明度が互いに異なり、前記明度がより高い色を呈する前記ブラシ毛が第二の前記毛領域に植設されている＜４＞に記載の塗布具。
＜６−１＞  前記柄部は、第一の前記毛領域に対応する位置よりも、第二の前記毛領域に対応する位置において、前記ブラシ毛よりも基端側に延在する把持長さが長く形成されている＜２＞から＜５＞のいずれか一項に記載の塗布具。
＜６−２＞  前記性状は、色彩であり、第一および第二の前記毛領域に含まれる前記ブラシ毛の色彩は明度が互いに異なり、前記明度がより高い色を呈する前記ブラシ毛が第二の前記毛領域に植設されており、前記柄部は、第一の前記毛領域に対応する位置よりも、第二の前記毛領域に対応する位置において、前記ブラシ毛よりも基端側に延在する把持長さが長く形成されている＜２＞に記載の塗布具。
＜７＞  前記ブラシ部の前記幅方向に関する第一の前記毛領域の毛幅寸法が、第二の前記毛領域の前記毛幅寸法よりも大きい＜２＞から＜６＞のいずれか一項に記載の塗布具。
＜８＞  前記柄部の表面に窪み部を有し、前記窪み部が前記ブラシ部の前記幅方向に非対称形状であることを特徴とする＜１＞から＜７＞のいずれか一項に記載の塗布具。
＜９＞  ＜１＞から＜８＞のいずれか一項に記載の塗布具と、化粧料収容部を有する容器本体と、前記化粧料収容部に所定の配列方向に並べて充填された異種の化粧料と、前記塗布具を収容するブラシ収容部と、を備える化粧品。
＜１０＞  前記ブラシ収容部が異種の前記化粧料に跨る上方に形成されており、前記塗布具が前記ブラシ部の幅方向を前記配列方向に向けて前記ブラシ収容部に収容されている＜９＞に記載の化粧品。
＜１１＞  前記塗布具の前記ブラシ部は、前記幅方向の一方側と他方側に、前記ブラシ毛をそれぞれ含む第一および第二の毛領域を有し、第一および第二の前記毛領域に含まれる少なくとも一部の前記ブラシ毛の性状は互いに異なり、第二の前記毛領域の前記幅方向に関する毛幅寸法は、第一の前記毛領域の前記毛幅寸法よりも小さく、前記化粧料収容部には、第一の前記化粧料と、第一の前記化粧料よりも前記配列方向に関する寸法が小さい第二の前記化粧料と、が充填されており、第一の前記化粧料の上方に第一の前記毛領域が配置され、第二の前記化粧料の上方に第二の前記毛領域が配置されるように前記塗布具が記ブラシ収容部に収容されている＜１０＞に記載の化粧品。
＜１２＞  前記容器本体に取り付けられて前記化粧料の表面を開放可能に覆う保護シートを更に備え、前記保護シートの周囲に、前記ブラシ収容部に収容された前記塗布具の移動を規制する起立片が形成されている＜９＞から＜１１＞のいずれか一項に記載の化粧品。
＜１３＞  前記塗布具の前記柄部は、前記ブラシ部の前記幅方向に関する一部領域に、前記ブラシ毛の基端側に延在する把持長さが他の領域よりも長く形成された張出部を有し、複数の前記起立片が前記保護シートの周囲に形成されて前記ブラシ収容部が画成されており、かつ前記ブラシ収容部に収容された前記塗布具における前記張出部に対応する位置に前記起立片が非形成であることを特徴とする＜１２＞に記載の化粧品。
＜１４＞  前記ブラシ部の外形が、前記回転軸を中心とする回転対称形状、かつ前記ブラシ部の幅方向の両側に広がるように放射状に形成されている＜１＞から＜８＞のいずれか一項に記載の塗布具。
＜１５＞  幅方向に関する前記ブラシ部の最大寸法が、前記幅方向に直交する厚み方向の最大寸法よりも大きい＜１＞から＜８＞または＜１４＞のいずれか一項に記載の塗布具。
＜１６＞  前記柄部は、前記幅方向の最大寸法が前記厚み方向の最大寸法よりも大きい板状をなしている＜１５＞に記載の塗布具。
＜１７＞  前記ブラシ毛の先基端方向の長さが、前記柄部の前記把持長さの最大長よりも大きいことを特徴とする＜６＞に記載の塗布具。
＜１８＞  第一および第二の前記毛領域にそれぞれ含まれて色彩が互いに異なる前記ブラシ毛の径および曲げ剛性が互いに共通である＜４＞または＜５＞に記載の塗布具。
＜１９＞  前記柄部は、前記ブラシ毛が植設されている内縁部と、前記内縁部に対して基端側に対向する外縁部と、を有し、多数の前記ブラシ毛が前記内縁部から突出する長さは互いに略等しく、前記内縁部は前記ブラシ部の毛幅方向と平行に形成され、前記外縁部は前記毛幅方向に対して斜めに傾斜している＜１＞から＜８＞のいずれか一項に記載の塗布具。
＜２０＞  前記柄部が、前記毛幅方向に非対称形状に形成された窪み部を有し、前記窪み部のうち、前記ブラシ毛に近接している近傍縁は前記柄部の前記内縁部に沿って形成され、前記ブラシ毛から離間している遠方縁は前記柄部の前記外縁部に沿って形成されている＜１９＞に記載の塗布具。
＜２１＞  前記窪み部が、板状の前記柄部の主面に滑らかに連なる凹状に形成されている＜８＞に記載の塗布具。
＜２２＞  前記窪み部が、板状の前記柄部の表裏両面に鏡面対称に形成されている＜８＞または＜２１＞に記載の塗布具。
＜２３＞  前記柄部が、前記幅方向に非対称形状に形成された窪み部を有し、前記窪み部の最深部が、前記柄部のうち第二の前記毛領域の側に偏った位置に形成されている＜２＞から＜７＞のいずれか一項に記載の塗布具。
＜２４＞  前記ブラシ部は、縮毛の前記ブラシ毛と直毛の前記ブラシ毛とが混在して形成されている＜１＞から＜７＞のいずれか一項に記載の塗布具。
＜２５＞  前記ブラシ部を構成する前記ブラシ毛のうち、少なくとも第一および第二の前記毛領域の境界近傍に植設された前記ブラシ毛が、前記ブラシ部の前記幅方向に対して傾斜して前記柄部から突出している＜２＞から＜７＞のいずれか一項に記載の塗布具。
＜２６＞  異種の前記化粧料の色彩が互いに異なる＜９＞から＜１３＞のいずれか一項に記載の化粧品。
＜２７＞  ＜５＞に記載の塗布具を備える＜２６＞に記載の化粧品であって、前記ブラシ収容部に収容された前記塗布具における第二の前記毛領域に対向する第二の前記化粧料の明度が、第一の前記化粧料の明度よりも高い前記化粧料が充填されていることを特徴とする化粧品。
＜２８＞  異種の前記化粧料の境界線が、前記配列方向に対して斜めに形成されている＜９＞から＜１３＞、または＜２５＞から＜２７＞のいずれか一項に記載の化粧品。
＜２９＞  前記回転軸の延在方向において、前記ブラシ部の長さよりも前記柄部の長さの方が長い、上記のいずれか一項に記載の塗布具。
＜３０＞  前記ブラシ部の幅方向における前記ブラシ部の幅よりも、前記回転軸の延在方向における前記柄部の長さの方が長い、上記のいずれか一項に記載の塗布具。
【符号の説明】
【００７６】
１０      塗布具
２０      柄部
２１      主面
２２      先端凹部
２４      張出部
２６      内縁部
２８      外縁部
２９      接合部
３０      窪み部
３２      最深部
３４      近傍縁
３６      遠方縁
３８      傾斜面
３９      稜線
４０      ブラシ部
４２，４２Ｂ，４２Ｗ，４２ａ  ブラシ毛
４３      第一の毛領域
４４      第二の毛領域
４５      境界
４６      毛先
４７      基端
４８      埋込部
６０      容器本体
６２      化粧料収容部
６４      境界線
７０      第一の化粧料
７１      第二の化粧料
８０      ブラシ収容部
８２      保護シート
８３      保護部
８４ａ〜８４ｄ      起立片
８５      折曲片
８６      固定片
９０      蓋部
９１      鏡
９２      ヒンジ部
９３      爪部
９４      ロック部
１００    化粧品
ＡＸ      回転軸
ＤＲ      毛幅方向
Ｌ１      毛長
Ｌ２      把持長さ
ＳＦ      作用面
Ｔ        柄厚み
ＴＢ      ブラシ厚み
Ｗ        柄幅
ＷＢ      ブラシ幅
ＷＢ１，ＷＢ２      毛幅寸法
【図１】
0006709048.tif 000002
【図２】
0006709048.tif 000003
【図３】
0006709048.tif 000004
【図４】
0006709048.tif 000005
【図５】
0006709048.tif 000006
【図６】
0006709048.tif 000007
【図７】
0006709048.tif 000008
【図８】
0006709048.tif 000009
【図９】
0006709048.tif 000010
【図１０】
0006709048.tif 000011
【図１１】
0006709048.tif 000012
【図１２】
0006709048.tif 000013